(57)【要約】      （修正有）【課題】個人スケジュールを考慮して呼を発信／着信する、発呼／着呼を効率的に処理し得る移動通信端末機の使用者スケジュールを考慮した呼処理方法を提供する。【解決手段】呼の着信時、該呼が登録された自分の個人スケジュールに予め設定された所定の時間内であるか否かを確認する段階と、呼が予め設定された所定の時間内である場合、振動モードを遂行する段階とを含む。呼の発信時、試みようとする発信呼が、登録された他人の個人スケジュールに存在するか否かを確認する段階と、試みようとする呼が登録された他人の個人スケジュールに存在する場合、現在時刻が他人の個人スケジュールに予め設定された所定の時間内であるか否かを確認する段階と、現在時刻が他人の個人スケジュールに予め設定された所定の時間内である場合、他人の個人スケジュールを表示し、他人に発信呼を発生するか否かを判断する段階と、発信呼を発生する段階とを含む。【選択図】図１
2006174469.tif 000002
【特許請求の範囲】
【請求項１】
呼を着信したときに、該呼が登録された自分の個人スケジュールに予め設定された所定の時間内であるか否かを確認する段階と、
前記確認の結果、前記呼が前記予め設定された所定の時間内である場合、着信モードとして振動モードを遂行する段階と、
を含むことを特徴とする移動通信端末機の使用者スケジュールを考慮した呼処理方法。
【請求項２】
前記確認の結果、前記呼が前記予め設定された所定の時間内でない場合、予め設定された着信モードを実行する段階をさらに含むことを特徴とする請求項１に記載の移動通信端末機の使用者スケジュールを考慮した呼処理方法。
【請求項３】
前記予め設定された着信モードは、着信音モード、振動モード、無音モードのうちいずれか１つ又はこれらの組み合わせであることを特徴とする請求項２に記載の移動通信端末機の使用者スケジュールを考慮した呼処理方法。
【請求項４】
前記自分の個人スケジュールには、使用者、スケジュールの内容、開始日及び時間、終了日及び時間、通知オプション及び反復オプションが含まれることを特徴とする請求項１に記載の移動通信端末機の使用者スケジュールを考慮した呼処理方法。
【請求項５】
発信呼に該当する電話番号が、登録された他人の個人スケジュールに存在するか否かを確認する段階と、
前記発信呼に該当する電話番号が、前記登録された他人の個人スケジュールに存在する場合、現在時刻が、前記他人の個人スケジュールに予め設定された所定の時間内であるか否かを確認する段階と、
前記確認の結果、前記現在時刻が前記他人の個人スケジュールに予め設定された所定の時間内である場合、前記他人の個人スケジュールを表示し、前記他人に前記発信呼を発生するか否かを判断する段階と、
前記判断結果によって、前記他人に前記発信呼を発生する段階と、
を含むことを特徴とする移動通信端末機の使用者スケジュールを考慮した呼処理方法。
【請求項６】
前記発信呼に該当する電話番号が、前記登録された他人の個人スケジュールに存在しない場合、前記他人に前記発信呼を発生する段階を遂行することを特徴とする請求項５に記載の移動通信端末機の使用者スケジュールを考慮した呼処理方法。
【請求項７】
前記確認の結果、前記現在時刻が前記他人の個人スケジュールに予め設定された所定の時間内でない場合、前記他人に前記発信呼を発生する段階を遂行することを特徴とする請求項５に記載の移動通信端末機の使用者スケジュールを考慮した呼処理方法。
【請求項８】
前記他人に前記発信呼を発生すると判断した場合、前記他人に前記発信呼を発生する段階を遂行することを特徴とする請求項５に記載の移動通信端末機の使用者スケジュールを考慮した呼処理方法。
【請求項９】
前記他人に前記発信呼を発生しないと判断した場合、前記他人に対する前記発信呼を中断する段階を遂行することを特徴とする請求項５に記載の移動通信端末機の使用者スケジュールを考慮した呼処理方法。
【請求項１０】
前記他人の個人スケジュールには、使用者、他人の名前及び電話番号、スケジュールの内容、開始日及び時間、終了日及び時間、通知オプション及び反復オプションが含まれることを特徴とする請求項５に記載の移動通信端末機の使用者スケジュールを考慮した呼処理方法。
【発明の詳細な説明】
【技術分野】
【０００１】
本発明は、移動通信端末機に関し、特に、発信呼／着信呼（発呼／着呼）を効率的に処理し得る移動通信端末機の使用者スケジュールを考慮した呼処理（Call Processing）方法に関する。
【背景技術】
【０００２】
一般的に、移動通信端末機は、基地局（Base Station: ＢＳ）によって形成されるサービス領域内を移動しながら、ＭＳＣ（Mobile Switching Center）のスイッチング制御によって、いつでもどこでも直ちに相手を無線呼出及び無線接続して通信できる装置であり、音声通信だけでなく記号、数字、文字からなるデータ通信及び映像信号を含むマルチメディア通信が可能である。
【０００３】
移動通信端末機は、（１）オンラインゲーム、携帯インターネットサービス、ＶＯＤ（Video On Demand）機能、ファイルダウンロード機能などのオンラインサービス、（２）チャット、インスタントメッセージ、文字メッセージ、マルチメディアメッセージ、電子メール機能などの各種メッセージ機能、（３）音声通話、画像通話などの通話機能、（４）動画像撮影、静止画像撮影などのカメラ機能と、（５）スケジューラ、電話番号帳検索、計算機、メモ帳、通信内容録音、通信内容録画、端末機状態設定、カレンダー検索、世界時間確認、アラーム設定、映像や音楽ファイルの再生などの各種付加機能を提供する。
【０００４】
従来技術による移動通信端末機は、使用者に提供する各種付加機能、特に、会議または約束の時間など自己のスケジュールを管理するためのスケジューラ機能や、通話中に発生する呼着信やメッセージの着信を通知する機能などを提供することによって、使用者の利便性を向上させる。
【０００５】
また、従来技術による移動通信端末機は、バッテリーの充電が必要な状況を警報音を鳴らして使用者に知らせるだけでなく、使用者が、会議または約束などの日程、時間及びベルや振動などでスケジュールを知らせるための方法を予め自己のスケジュールに設定しておくことによって、使用者は、該当する日付及び時刻に、設定された方法で、予め設定された自己のスケジュールの内容を確認することができる。
【０００６】
さらに、従来技術による移動通信端末機は、通話中に発生する呼またはメッセージを着信したとき、予め設定されたベルや振動などを通して使用者に知らせることができる。
【０００７】
しかしながら、従来技術による移動通信端末機は、使用者の個人スケジュールを予め設定し、この予め設定された個人スケジュールの内容をアラーム信号を通して知らせるものであり、予め設定された個人スケジュールの所定の時間内における発信呼／着信呼を全く考慮していない。このため、使用者の個人スケジュールに登録された所定の時間内に、発信呼／着信呼を適切に処理することができないという問題点があった。
【発明の開示】
【発明が解決しようとする課題】
【０００８】
従って、本発明の目的は、予め設定・登録された使用者の個人スケジュールを考慮して呼を発信／着信する、発呼／着呼を効率的に処理し得る移動通信端末機の使用者スケジュールを考慮した呼処理方法を提供することにある。
【課題を解決するための手段】
【０００９】
このような本発明の目的を達成するために、本発明による移動通信端末機の使用者スケジュールを考慮した着信呼処理方法は、呼を着信したときに、該呼が登録された自分の個人スケジュールに予め設定された所定の時間内であるか否かを確認する段階と、前記確認の結果、前記呼が前記予め設定された所定の時間内である場合、着信モードとして振動モードを遂行する段階と、を含むことを特徴とする。
【００１０】
このような本発明の目的を達成するために、本発明による移動通信端末機の使用者スケジュールを考慮した発信呼処理方法は、発信呼に該当する電話番号が、登録された他人の個人スケジュールに存在するか否かを確認する段階と、前記発信呼に該当する電話番号が、前記登録された他人の個人スケジュールに存在する場合、現在時刻が、前記他人の個人スケジュールに予め設定された所定の時間内であるか否かを確認する段階と、前記確認の結果、前記現在時刻が前記他人の個人スケジュールに予め設定された所定の時間内である場合、前記他人の個人スケジュールを表示し、前記他人に前記発信呼を発生するか否かを判断する段階と、前記判断結果によって、前記他人に前記発信呼を発生する段階と、を含むことを特徴とする。
【発明の効果】
【００１１】
本発明による移動通信端末機の使用者の個人スケジュールを考慮した呼処理方法は、予め設定された使用者の個人スケジュールを考慮して呼を発信／着信するので、発信呼／着信呼（発呼／着呼）を効率的に処理し得るという効果がある。
【発明を実施するための最良の形態】
【００１２】
以下、予め設定・登録された使用者の個人スケジュールを考慮して呼を発信／着信する、発呼／着呼を効率的に処理し得る移動通信端末機の使用者スケジュールを考慮した本発明の一実施形態に従う呼処理方法を、発信呼処理方法と着信呼処理方法とに区分して、それぞれ図面を参照して説明する。
【００１３】
図１は、本発明の一実施形態に従う移動通信端末機の使用者（ユーザ）スケジュールを考慮した着信呼処理方法を示すフローチャートである。
【００１４】
図１に示すように、本発明の一実施形態による移動通信端末機の使用者スケジュールを考慮した着信呼処理方法は、他人からの呼を着信する段階（Ｓ１１）と、この呼を着信したときに、該呼が登録された自分の個人スケジュールに予め設定された所定の時間内であるか否かを確認する段階（Ｓ１３）と、該確認結果によって、予め設定された着信モードを遂行する段階（Ｓ１５）と、を含む。ここで、予め設定された着信モードは、振動モード、着信音モード、無音モードのうちいずれか１つ又はこれらの組み合わせである。
【００１５】
以下、このようにして実行される本発明の一実施形態による移動通信端末機の使用者スケジュールを考慮した着信呼処理方法を詳細に説明する。
【００１６】
まず、着信側移動通信端末機は、発信側移動通信端末機からの呼を着信すると（Ｓ１１）、該呼を着信した時刻と、着信側移動通信端末機に登録された自分の個人スケジュールに予め設定された所定の時間と、を比較する（Ｓ１３）。
【００１７】
ここで、登録された自分の個人スケジュールとは、複数登録されている使用者の個人スケジュールのうちの自分の個人スケジュールに該当する。使用者の個人スケジュールは、（１）使用者、例えば、自分または他人（他の加入者）、（２）使用者が他人である場合、他人の名前及び該当する電話番号、（３）スケジュールの内容、（４）開始日及び時間、（５）終了日及び時間、（６）通知オプション、（７）反復オプションなどが含まれ、データベース化される。ここで、通知オプションは、着信音モードに従うメロディ、振動モード、ランプを点灯・点滅する無音モードなどを含む。反復オプションは、通知オプションの反復周期を意味する。
【００１８】
着信側移動通信端末機は、比較結果に基づいて、予め設定された着信モードを遂行する（Ｓ１５）。即ち、着信側移動通信端末機は、呼を着信した時刻が、予め設定された所定の時間内である場合、着信モードとして振動モードを遂行する（Ｓ１５１）。これにより、自分の個人スケジュールを遂行する期間中（例えば、会議中など）に、着信呼によって自分だけでなく周辺の他の人に及ぼす影響を最小化することができる。なお、着信モードは、振動モードに限られず、周辺の他の人に及ぼす影響が最小化されれば、どのようなモードであってもよい。
【００１９】
一方、着信側移動通信端末機は、呼を着信した時刻が、予め設定された所定の時間外である場合、自分の個人スケジュールを遂行する期間中でないと判断するため、着信モードとして振動モード、着信音モードまたは無音モードのうち予め設定されたいずれか１つのモード又はこれらの組み合わせを遂行する（Ｓ１５３）。
【００２０】
次に、図２を参照して、本発明の一実施形態による移動通信端末機の使用者スケジュールを考慮した発信呼処理方法を説明する。
【００２１】
図２は、本発明の一実施形態による移動通信端末機の使用者スケジュールを考慮した発信呼処理方法を示すフローチャートである。
【００２２】
図２に示すように、本発明の一実施形態による移動通信端末機の使用者スケジュールを考慮した発信呼処理方法は、他人に呼の発信を試みようとする段階（Ｓ２１）と、該試みようとする発信呼が、登録された他人の個人スケジュールに存在するか否かを確認する段階（Ｓ２３）と、該試みようとする発信呼が、予め設定された他人の個人スケジュールに存在する場合、現在時刻が、他人の個人スケジュールに予め設定された所定の時間内であるか否かを確認する段階（Ｓ２５）と、現在時刻が、他人の個人スケジュールに予め設定された所定の時間内である場合、他人の個人スケジュールを表示（ディスプレイ）し、試みようとする発信呼を発生するか否かを判断する段階（Ｓ２７）と、判断結果によって、試みようとする発信呼を発生する段階（Ｓ２９）と、を含む。
【００２３】
以下、このように実行される本発明の一実施形態による移動通信端末機の使用者スケジュールを考慮した発信呼処理方法を詳細に説明する。
【００２４】
まず、使用者は、発信側移動通信端末機に他人の電話番号を入力し、通話（Send）ボタンを押すことによって、発信側移動通信端末機が着信側移動通信端末機に呼の発信を試みようとする（Ｓ２１）。
【００２５】
発信側移動通信端末機は、試みようとする発信呼が、登録された他人の個人スケジュールに存在する否かを確認する（Ｓ２３）。即ち、発信側移動通信端末機は、登録された他人の個人スケジュールに予め設定された電話番号のうち入力された他人の電話番号と一致する電話番号が存在するか否かを検索する。これによって、該当する他人の個人スケジュールがあるか否かを確認することができる。
【００２６】
ここで、発信側移動通信端末機は、試みようとする呼が他人の個人スケジュールにある場合、現在時刻が、他人の個人スケジュールに予め設定された所定の時間内であるか否かを確認する。一方、発信側移動通信端末機は、試みようとする呼が他人の個人スケジュールにない場合、試みようとする発信呼を発生する。
【００２７】
発信側移動通信端末機は、現在時刻が、他人の個人スケジュールに予め設定された所定の時間内である否かを確認する（Ｓ２５）。即ち、発信側移動通信端末機は、現在時刻が、予め設定された所定の時間内である場合、試みようとする発信呼を発生するか否かを使用者の選択に基づいて判断する（Ｓ２７）。現在時刻が、予め設定された所定の時間外である場合、試みようとする発信呼を発生する。
【００２８】
より詳細には、発信側移動通信端末機は、現在時刻が、予め設定された所定の時間内である場合、現在時刻が、他人の個人スケジュールを遂行する期間中（例えば、会議中など）であると判断するため、他人の個人スケジュール内容をディスプレイ装置を通して表示し（Ｓ２７１）、使用者の選択に基づいて試みようとする発信呼を発生するか否かを判断する（Ｓ２７３）。
【００２９】
使用者が発信呼の発生を選択すると、発信側移動通信端末機は、その判断結果によって、試みようとする発信呼を発生する（Ｓ２９）。これにより、他人の個人スケジュールを遂行する期間中に、発信呼によって他人だけでなく周辺の他の人に及ぼす影響を最小化することができる。即ち、発信側移動通信端末機は、使用者の選択により試みようとする発信呼を発生すると判断した場合、試みようとする発信呼を発生する（Ｓ２９１）。一方、試みようとする発信呼を発生しないと判断した場合、試みようとする発信呼を中断する（Ｓ２９３）。
【図面の簡単な説明】
【００３０】
【図１】本発明の一実施形態に従う移動通信端末機の使用者スケジュールを考慮した着信呼処理方法を示すフローチャートである。
【図２】本発明の一実施形態に従う移動通信端末機の使用者スケジュールを考慮した発信呼処理方法を示すフローチャートである。
【図１】
2006174469.tif 000003
【図２】
2006174469.tif 000004